【手続補正書】
【提出日】平成25年10月15日(2013.10.15)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行う可変表示手段に特定表示結果が導出表示されたときに遊技者にとって有利な特定遊技状態に制御する遊技機であって、
前記特定遊技状態となる可能性があることを段階的に報知する演出であって、高い段階が、前記特定遊技状態となる可能性が高いことに対応する予告演出を実行する予告演出実行手段と、
前記予告演出における終了段階であることに対応する特別演出を実行する特別演出実行手段と、
識別情報の可変表示中においてリーチ演出を実行するリーチ演出実行手段とを備え、
前記特別演出実行手段が実行可能な前記特別演出の演出態様の種類は、前記予告演出が所定段階で終了するときの方が、該所定段階前の段階で終了するときに比べて多く、
前記リーチ演出は、停止表示される識別情報の候補の画像と所定演出の実行を示唆する所定演出示唆画像とが前記可変表示手段に表示される特別リーチ演出を含み、
前記特別リーチ演出が実行された後、前記所定演出を実行する所定演出実行手段をさらに備え、
前記所定演出実行手段により前記所定演出が実行されてから前記特定遊技状態に制御されたときと、前記特別リーチ演出が実行された後前記所定演出が実行されずに前記特定遊技状態に制御されたときとで、異なる遊技価値を付与する
ことを特徴とする遊技機。
【請求項２】
各々を識別可能な複数種類の識別情報の可変表示を行う可変表示手段に特定表示結果が導出表示されたときに遊技者にとって有利な特定遊技状態に制御する遊技機であって、
前記特定遊技状態となる可能性があることを段階的に報知する演出であって、高い段階が、前記特定遊技状態となる可能性が高いことに対応する予告演出を実行する予告演出実行手段と、
前記予告演出における終了段階であることに対応する特別演出を実行する特別演出実行手段と、
識別情報の可変表示中においてリーチ演出を実行するリーチ演出実行手段とを備え、
前記特別演出実行手段が実行可能な前記特別演出の演出態様の種類は、前記予告演出が所定段階で終了するときの方が、該所定段階後の段階で終了するときに比べて多く、
前記リーチ演出は、停止表示される識別情報の候補の画像と所定演出の実行を示唆する所定演出示唆画像とが前記可変表示手段に表示される特別リーチ演出を含み、
前記特別リーチ演出が実行された後、前記所定演出を実行する所定演出実行手段をさらに備え、
前記所定演出実行手段により前記所定演出が実行されてから前記特定遊技状態に制御されたときと、前記特別リーチ演出が実行された後前記所定演出が実行されずに前記特定遊技状態に制御されたときとで、異なる遊技価値を付与する
ことを特徴とする遊技機。
【手続補正２】
【補正対象書類名】明細書
【補正対象項目名】０００１
【補正方法】変更
【補正の内容】
【０００１】
本発明は、各々を識別可能な複数種類の識別情報の可変表示を開始させた後に表示結果を導出表示する可変表示手段に特定表示結果が導出表示されたときに遊技者にとって有利な特定遊技状態に制御するパチンコ機やスロット機などの遊技機に関する。
【手続補正３】
【補正対象書類名】明細書
【補正対象項目名】００１０
【補正方法】変更
【補正の内容】
【００１０】
そこで、本発明は、最終停止識別情報として導出表示される識別情報の候補の画像と所定演出を示唆する所定演出示唆画像とが可変表示手段に表示される特別リーチ演出が実行された後、最終停止識別情報が導出表示される前に所定演出を実行する遊技機において、所定演出を、より遊技者に注目させることができるようにすることを目的とする。
【手続補正４】
【補正対象書類名】明細書
【補正対象項目名】００１１
【補正方法】変更
【補正の内容】
【００１１】
（１）本発明による遊技機は、各々を識別可能な複数種類の（例えば、特別図柄）の可変表示を行う可変表示手段（例えば、特別図柄表示器８ａ，８ｂ）に特定表示結果（例えば、大当り図柄）が導出表示されたときに遊技者にとって有利な特定遊技状態（例えば、大当り遊技状態）に制御する遊技機であって、特定遊技状態となる可能性があることを段階的に報知する演出であって、高い段階が、特定遊技状態となる可能性が高いことに対応する予告演出（例えば、ステップアップ予告演出）を実行する予告演出実行手段（例えば、演出制御用マイクロコンピュータ１００において、ステップＳ５０２〜Ｓ５０５，Ｓ８３１〜Ｓ８３３，Ｓ８４１〜Ｓ８４３の処理を実行する部分）と、予告演出における終了段階であることに対応する特別演出（例えば、スーパーリーチαなどの特定のリーチ演出や、図３２および図３３に示す特別予告演出（終了段階予告演出））を実行する特別演出実行手段（例えば、演出制御用マイクロコンピュータ１００において、ステップＳ５０７，Ｓ５０８，Ｓ８３１〜Ｓ８３３，Ｓ８４１〜Ｓ８４３の処理を実行する部分）と、識別情報の可変表示中においてリーチ演出を実行するリーチ演出実行手段（例えば、演出制御用マイクロコンピュータ１００において、ステップＳ８３１〜Ｓ８３３，Ｓ８４１〜Ｓ８４３の処理を実行する部分）とを備え、特別演出実行手段が実行可能な特別演出の演出態様の種類は、予告演出が所定段階で終了するときの方が、所定段階前の段階で終了するときに比べて多く図３４〜図３６参照）、リーチ演出は、停止表示される識別情報の候補の画像（例えば、左右の停止図柄と同じ図柄と、左右の停止図柄よりも数字が１つ多い図柄：図３７（Ｃ）参照）と所定演出の実行を示唆する所定演出示唆画像（例えば、キャラクタ図柄９ｂ，９ｃ：図３７（Ｃ）参照）とが可変表示手段に表示される特別リーチ演出（例えば、図３７（Ｃ）に示す演出）を含み、特別リーチ演出が実行された後、所定演出を実行する所定演出実行手段（例えば、演出制御用マイクロコンピュータ１００において、ステップＳ８２５の処理の結果にもとづいてステップＳ８３１〜Ｓ８３３，Ｓ８４１〜Ｓ８４３の処理を実行する部分）をさらに備え、所定演出実行手段により所定演出が実行されてから特定遊技状態に制御されたときと、特別リーチ演出が実行された後所定演出が実行されずに特定遊技状態に制御されたときとで、異なる遊技価値を付与する（例えば、図４１，図４２に示すように、通常大当りの場合と確変大当りの場合とで所定演出の実行割合を変える）ことを特徴とする。
また、本発明による遊技機は、各々を識別可能な複数種類の識別情報の可変表示を行う可変表示手段に特定表示結果が導出表示されたときに遊技者にとって有利な特定遊技状態に制御する遊技機であって、特定遊技状態となる可能性があることを段階的に報知する演出であって、高い段階が、特定遊技状態となる可能性が高いことに対応する予告演出を実行する予告演出実行手段と、予告演出における終了段階であることに対応する特別演出を実行する特別演出実行手段と、識別情報の可変表示中においてリーチ演出を実行するリーチ演出実行手段とを備え、特別演出実行手段が実行可能な特別演出の演出態様の種類は、予告演出が所定段階で終了するときの方が、該所定段階後の段階で終了するときに比べて多く、リーチ演出は、停止表示される識別情報の候補の画像と所定演出の実行を示唆する所定演出示唆画像とが可変表示手段に表示される特別リーチ演出を含み、特別リーチ演出が実行された後、所定演出を実行する所定演出実行手段をさらに備え、所定演出実行手段により所定演出が実行されてから特定遊技状態に制御されたときと、特別リーチ演出が実行された後所定演出が実行されずに特定遊技状態に制御されたときとで、異なる遊技価値を付与することを特徴とする。
そのような構成によれば、所定演出に対して、より遊技者を注目させることができる。